(57)【要約】【課題】現状の物流コストの把握及びコスト面から見た改善策の検証を実現する。【解決手段】シミュレーションに必要なデータを記憶したシミュレーション設定情報記憶装置１１と、在庫及び作業員の移動の指示を記憶したシミュレーション指示情報記憶装置１２と、ログを記憶したシミュレーション実行ログ記憶装置１３と、費目及び単価を記憶した費目マスタ記憶装置１５と、シミュレーションを行わせシミュレーションの結果を記憶するシミュレーション実行手段２１と、ログの項目を費目を対応づけて費目マスタ記憶装置１５を参照して変換された費目のデータに基づいてコストを算出するコスト算出手段２２と、コスト算出手段において算出されたコストを費目毎に提示する結果提示手段２３とを備える。【選択図】　　　図１
2004118321.tif 000002
【特許請求の範囲】
【請求項１】
物流センターの在庫管理に必要なコストを解析する物流コスト解析サーバにおいて、
前記物流センターのシミュレーションに必要な前記物流センターのデータ、前記物流センターが管理する在庫のデータ、前記在庫の搬入或いは搬出を行う作業員のデータのうち少なくとも一つのデータをシミュレーション設定情報記憶装置に記憶するシミュレーション設定情報記憶手段と、
前記シミュレーション設定情報記憶装置に記憶された前記データについて、前記在庫及び作業員の移動の指示をシミュレーション指示情報記憶装置に記憶するシミュレーション指示情報記憶手段と、
前記シミュレーションを実行したログをシミュレーション実行ログ記憶装置に記憶するシミュレーション実行ログ記憶手段と、
少なくともコスト分析に必要な費目及び単価を費目マスタ記憶装置に記憶する費目マスタ記憶手段と、
前記シミュレーション設定情報記憶装置と前記シミュレーション指示情報記憶装置に記憶された情報に基づいて前記シミュレーションを行わせ、前記シミュレーションの結果を前記シミュレーション実行ログ記憶装置に記憶するシミュレーション実行手段と、
前記ログの項目と前記費目を対応づけて前記ログの項目を前記費目に変換し、前記費目マスタ記憶装置を参照して変換された前記費目のデータに基づいて前記コストを算出するコスト算出手段と、
前記コスト算出手段において算出されたコストを前記費目毎に提示する結果提示手段と
を備えることを特徴とする物流コスト解析サーバ。
【請求項２】
前記算出されたコストを参照してシミュレーション指示情報記憶装置のパラメータを変更し、再び前記シミュレーション実行手段に前記シミュレーションを行わせ、前記コスト算出手段にパラメータ変更後のコストを算出させるパラメータ変更手段を更に備え、
前記結果提示手段は、パラメータ変更前のコストと前記パラメータ変更後のコストとをそれぞれ前記費目毎に提示する
ことを特徴とする請求項１に記載の物流コスト解析サーバ。
【請求項３】
物流センターの在庫管理に必要なコストを解析する物流コスト解析方法において、
前記物流センターのシミュレーションに必要な前記物流センターのデータ、前記物流センターが管理する在庫のデータ、前記在庫の搬入或いは搬出を行う作業員のデータのうち少なくとも一つのデータをシミュレーション設定情報記憶装置に記憶するシミュレーション設定情報記憶ステップと、
前記シミュレーション設定情報記憶装置に記憶された前記データについて、前記在庫及び作業員の移動の指示をシミュレーション指示情報記憶装置に記憶するシミュレーション指示情報記憶ステップと、
前記シミュレーションを実行したログをシミュレーション実行ログ記憶装置に記憶するシミュレーション実行ログ記憶ステップと、
少なくともコスト分析に必要な費目及び単価を費目マスタ記憶装置に記憶する費目マスタ記憶ステップと、
前記シミュレーション設定情報記憶装置と前記シミュレーション指示情報記憶装置に記憶された情報に基づいて前記シミュレーションを行わせ、前記シミュレーションの結果を前記シミュレーション実行ログ記憶装置に記憶するシミュレーション実行ステップと、
前記ログの項目と前記費目を対応づけて前記ログの項目を前記費目に変換し、前記費目マスタ記憶装置を参照して変換された前記費目のデータに基づいて、前記コストを算出するコスト算出ステップと、
前記コスト算出手段において算出されたコストを前記費目毎に提示する結果提示ステップと
を備えることを特徴とする物流コスト解析方法。
【請求項４】
前記算出されたコストを参照してシミュレーション指示情報記憶装置のパラメータを変更し、再び前記シミュレーション実行ステップでの前記シミュレーションを行わせ、パラメータ変更後の前記コスト算出ステップでのコストを算出させるパラメータ変更ステップを更に備え、
前記結果提示ステップは、パラメータ変更前のコストと前記パラメータ変更後のコストとをそれぞれ前記費目毎に提示する
ことを特徴とする請求項３に記載の物流コスト解析方法。
【請求項５】
物流センターの在庫管理に必要なコストを解析する物流コスト解析プログラムにおいて、
前記物流センターのシミュレーションに必要な前記物流センターのデータ、前記物流センターが管理する在庫のデータ、前記在庫の搬入或いは搬出を行う作業員のデータのうち少なくとも一つのデータをシミュレーション設定情報記憶装置に記憶する手順と、
前記シミュレーション設定情報記憶装置に記憶された前記データについて、前記在庫及び作業員の移動の指示を、シミュレーション指示情報記憶装置に記憶する手順と、
前記シミュレーションを実行したログを、シミュレーション実行ログ記憶装置に記憶する手順と、
少なくともコスト分析に必要な費目及び単価を、費目マスタ記憶装置に記憶する手順と、
前記シミュレーション設定情報記憶装置と、前記シミュレーション指示情報記憶装置に記憶された情報に基づいて前記シミュレーションを行わせ、前記シミュレーションの結果を前記シミュレーション実行ログ記憶装置に記憶する手順と、
前記ログの項目と、前記費目を対応づけて、前記ログの項目を前記費目に変換し、前記費目マスタ記憶装置を参照して、変換された前記費目のデータに基づいて、前記コストを算出する手順と、
前記コスト算出手段において算出されたコストを、前記費目毎に提示する手順と
をコンピュータに実行させることを特徴とする物流コスト解析プログラム。
【請求項６】
前記算出されたコストを参照してシミュレーション指示情報記憶装置のパラメータを変更し、再び前記シミュレーション実行する手順での前記シミュレーションを行わせ、パラメータ変更後の前記コスト算出ステップでのコストを算出させるパラメータ変更する手順を更にコンピュータに実行させ、
前記結果提示する手順は、パラメータ変更前のコストと前記パラメータ変更後のコストとをそれぞれ前記費目毎に提示する
ことを特徴とする請求項５に記載の物流コスト解析プログラム。
【発明の詳細な説明】
【０００１】
【発明の属する技術分野】
本発明は、物流センターの在庫管理に必要なコストを解析する物流コスト解析サーバ、物流コスト解析方法及び物流コスト解析プログラムに関する。
【０００２】
【従来の技術】
現在の物流業界において、コストの削減が強く求められており、従来から物流コストを把握するために様々な工夫が行われてきた。
【０００３】
従来の物流コスト分析は、財務会計レベルでのコスト分析、原価管理が主流であった。これではコストは一面的にしか捉えることができず、改善にも取り組めない、又は取り組んでも効果が上がらない等、結局は現状のままで妥協してしまう場合が多かった。
【０００４】
例えば、物流コストを把握する一つの分析方法として、活動基準原価計算（ＡＢＣ：Ａｃｔｉｖｉｔｙ−Ｂａｓｅｄ　Ｃｏｓｔｉｎｇ）手法と呼ばれる手法がある。この活動基準原価計算手法は、従来の財務管理・原価管理の「資源」からのコスト把握とは異なり、現場作業を「活動」として捉え、実体に即した分析、改善を行う。即ち、活動基準原価計算手法は、「製品」が「活動」を消費し、「活動」が「資源」を消費するという基本理念でコスト計算を行うものである。従って、活動基準原価計算手法によると、「製品」の製造コストは、「活動」と「資源」を算出することにより計算することができる。
【０００５】
物流コストを正確に把握するためには、在庫搬入、在庫管理、在庫搬出など、在庫を保管する物流センターにおけるコストを正確に把握しなければならない。
【０００６】
従来、物流コストを把握する方法として、物流と、商流の格差業をシミュレーションし、在庫、コスト、利益、運転資本、キャッシュフロー等の複数の支店からサプライチェーン案を定量的に評価する方法がある（例えば、特許文献１。）。しかし、この方法においては、物流の全ての工程におけるコストを算出することができるが、在庫の保管に必要なコストについては、触れられていない。
【０００７】
又、物流コストのリスクを把握する方法として、多種多量の商品の在庫管理を責務とする担当者が商品の特性を個々に見極め、個々の商品に対し的確かつ客観的に、在庫適正化案を立案・評価する方法がある（例えば、特許文献２。）。しかし、この方法においては、在庫管理のコストについては触れられているが、在庫搬入、在庫搬出などに必要なコストについては、触れられていない。
【０００８】
【特許文献１】
特開２００２−１４５４２１
【０００９】
【特許文献２】
特開平９−３４９５５
【００１０】
【発明が解決しようとする課題】
しかし、活動基準原価計算手法の分析には、実際に作業者個々の作業内容を調査する必要があり、調査者、被調査者ともに多大な労苦を伴うことが常であり、せっかくの活動基準原価計算手法も十分活動されていなかった。
【００１１】
一方、様々なシミュレーションが行われている。しかし、活動基準原価計算手法に基づいたコスト算出においては、シミュレーション中の各作業と「活動」や「資源」などの原価基準とを関連づけるのが非常に困難であった。
【００１２】
従って本発明の目的は、物流センターに関わる物流コストを把握するため、バーチャル物流センターを構築するシミュレーターと組み合わせ、現実には行えない現場改善を施すことによって、現状の物流コストの把握及びコスト面から見た改善策の検証を実現することのできる物流コスト解析サーバ、物流コスト解析方法及び物流コスト解析プログラムを提供することである。
【００１３】
【課題を解決するための手段】
上記課題を解決するために、本発明の第１の特徴に係る物流コスト解析サーバは、物流センターの在庫管理に必要なコストを解析する物流コスト解析サーバに関する。即ち本発明の第１の特徴に係る物流コスト解析サーバは、物流センターのシミュレーションに必要な物流センターのデータ、物流センターが管理する在庫のデータ、在庫の搬入或いは搬出を行う作業員のデータのうち少なくとも一つのデータを、シミュレーション設定情報記憶装置に記憶するシミュレーション設定情報記憶手段と、シミュレーション設定情報記憶装置に記憶されたデータについて、在庫及び作業員の移動の指示を、シミュレーション指示情報記憶装置に記憶するシミュレーション指示情報記憶手段と、シミュレーションを実行したログを、シミュレーション実行ログ記憶装置に記憶するシミュレーション実行ログ記憶手段と、少なくともコスト分析に必要な費目及び単価を、費目マスタ記憶装置に記憶する費目マスタ記憶手段と、シミュレーション設定情報記憶装置と、シミュレーション指示情報記憶装置に記憶された情報に基づいてシミュレーションを行わせ、シミュレーションの結果をシミュレーション実行ログ記憶装置に記憶するシミュレーション実行手段と、ログの項目と費目を対応づけて、ログの項目を費目に変換し、費目マスタ記憶装置を参照して、変換された費目のデータに基づいて、コストを算出するコスト算出手段と、コスト算出手段において算出されたコストを、費目毎に提示する結果提示手段とを備える。
【００１４】
本発明の第１の特徴に係る物流コスト解析サーバによれば、従来は煩雑な手間を要していた現状分析をシミュレーションで行わせることにより、活動基準原価計算手法を、容易に導入したコストの算出を行うことができる。
【００１５】
又、算出されたコストを参照してシミュレーション指示情報記憶装置のパラメータを変更し、再びシミュレーション実行手段にシミュレーションを行わせ、コスト算出手段にパラメータ変更後のコストを算出させるパラメータ変更手段を更に備え、結果提示手段は、パラメータ変更前のコストとパラメータ変更後のコストとをそれぞれ費目毎に提示するのが好ましい。
【００１６】
これにより、機器の採用・廃止など、通常ならば簡単に行えないような作業も、シミュレーションでコストを算出することによりその作業の効果を得ることができる。
【００１７】
本発明の第２の特徴に係る物流コスト解析方法は、物流センターの在庫管理に必要なコストを解析する物流コスト解析方法に関する。即ち、本発明の第２の特徴に係る物流コスト解析方法は、物流センターのシミュレーションに必要な、物流センターのデータ、物流センターが管理する在庫のデータ、在庫の搬入或いは搬出を行う作業員のデータのうち少なくとも一つのデータを、シミュレーション設定情報記憶装置に記憶するシミュレーション設定情報記憶ステップと、シミュレーション設定情報記憶装置に記憶されたデータについて、在庫及び作業員の移動の指示をシミュレーション指示情報記憶装置に記憶するシミュレーション指示情報記憶ステップと、シミュレーションを実行したログをシミュレーション実行ログ記憶装置に記憶するシミュレーション実行ログ記憶ステップと、少なくともコスト分析に必要な費目及び単価を費目マスタ記憶装置に記憶する費目マスタ記憶ステップと、シミュレーション設定情報記憶装置と、シミュレーション指示情報記憶装置に記憶された情報に基づいてシミュレーションを行わせ、シミュレーションの結果をシミュレーション実行ログ記憶装置に記憶するシミュレーション実行ステップと、ログの項目と費目を対応づけて、ログの項目を費目に変換し、費目マスタ記憶装置を参照して、変換された費目のデータに基づいてコストを算出するコスト算出ステップと、コスト算出手段において算出されたコストを費目毎に提示する結果提示ステップとを備える。
【００１８】
又、算出されたコストを参照してシミュレーション指示情報記憶装置のパラメータを変更し、再びシミュレーション実行ステップでのシミュレーションを行わせ、パラメータ変更後のコスト算出ステップでのコストを算出させるパラメータ変更ステップを更に備え、結果提示ステップは、パラメータ変更前のコストと、パラメータ変更後のコストとをそれぞれ費目毎に提示するのが好ましい。
【００１９】
本発明の第３の特徴に係る物流コスト解析プログラムは、物流センターの在庫管理に必要なコストを解析する物流コスト解析プログラムに関する。即ち本発明の第３の特徴に係る物流コスト解析プログラムは、物流センターのシミュレーションに必要な物流センターのデータ、物流センターが管理する在庫のデータ、在庫の搬入或いは搬出を行う作業員のデータのうち少なくとも一つのデータを、シミュレーション設定情報記憶装置に記憶する手順と、シミュレーション設定情報記憶装置に記憶されたデータについて、在庫及び作業員の移動の指示をシミュレーション指示情報記憶装置に記憶する手順と、シミュレーションを実行したログを、シミュレーション実行ログ記憶装置に記憶する手順と、少なくともコスト分析に必要な費目及び単価を費目マスタ記憶装置に記憶する手順と、シミュレーション設定情報記憶装置と、シミュレーション指示情報記憶装置に記憶された情報に基づいてシミュレーションを行わせ、シミュレーションの結果をシミュレーション実行ログ記憶装置に記憶する手順と、前記ログの項目と費目を対応づけて、ログの項目を費目に変換し、費目マスタ記憶装置を参照して、変換された費目のデータに基づいて、コストを算出する手順と、コスト算出手段において算出されたコストを費目毎に提示する手順とをコンピュータに実行させる。
【００２０】
又、算出されたコストを参照して、シミュレーション指示情報記憶装置のパラメータを変更し、再びシミュレーション実行する手順でのシミュレーションを行わせ、パラメータ変更後のコスト算出する手順でのコストを算出させる手順を更にコンピュータに実行させ、結果提示する手順は、パラメータ変更前のコストとパラメータ変更後のコストと、をそれぞれ費目毎に提示するのが好ましい。
【００２１】
【発明の実施の形態】
次に、図面を参照して、本発明の実施の形態を説明する。以下の図面の記載において、同一又は類似の部分には同一又は類似の符号を付している。
【００２２】
（最良の実施の形態）
図１を参照して、本発明の最良の実施の形態に係る物流コスト解析システム６を説明する。
【００２３】
本発明の最良の実施の形態に係る物流コスト解析システム６は、物流コストを解析する物流コスト解析サーバ１、物流コスト解析サーバ１からの指示を受けてシミュレーションを実行するシミュレーション端末３、物流コスト解析サーバ１を操作する操作端末５を備えている。
【００２４】
物流コスト解析サーバ１、シミュレーション端末３、操作端末５は、一般的なコンピュータであって、それぞれの所定の処理を実行するソフトウェアプログラムがインストールされている。図示しないが、それぞれの端末は、中央処理制御装置（ＣＰＵ）を備えており、インストールされたソフトウェアプログラムの処理を行い、所定の処理を実現する。
【００２５】
又、物流コスト解析サーバ１、シミュレーション端末３、操作端末５は、ＬＡＮ（構内通信網：Ｌｏｃａｌ　Ａｒｅａ　Ｎｅｔｗｏｒｋ）によって接続されており、互いに通信が可能である。図１においては、それぞれの端末はＬＡＮによって接続されているが、ＷＡＮ（広域通信網：Ｗｉｄｅ　Ａｒｅａ　Ｎｅｔｗｏｒｋ）、イントラネット、インターネット等の通信ネットワークで接続されても良い。
【００２６】
図１に示した物流コスト解析サーバ１について説明する。
【００２７】
本発明の最良の実施の形態に係る物流コスト解析サーバ１は、シミュレーション設定情報記憶装置１１、シミュレーション指示情報記憶装置１２、シミュレーション実行ログ記憶装置１３、対応費目記憶装置１４、費目マスタ記憶装置１５、コスト分析情報記憶装置１６、シミュレーション実行手段２１、コスト算出手段２２、結果提示手段２３、パラメータ変更手段２４を備えている。
【００２８】
シミュレーション設定情報記憶装置１１は、物流センターのシミュレーションに必要な物流センターのデータ、物流センターが管理する在庫のデータ、在庫の搬入或いは搬出を行う作業員のデータのうち少なくとも一つのデータが記憶された記憶装置である。シミュレーション設定情報記憶装置１１は、バーチャル物流センターモデルを構築し、そのモデルを元に作成されたデータが記憶されている。
【００２９】
シミュレーション指示情報記憶装置１２は、シミュレーション設定情報記憶装置１１に記憶されたデータについて、在庫及び作業員の移動の指示が記憶された記憶装置である。
【００３０】
シミュレーション実行ログ記憶装置１３は、シミュレーション設定情報記憶装置１１とシミュレーション指示情報記憶装置１２に基づいてシミュレーションされた結果が記録された記憶装置である。シミュレーション実行ログ記憶装置１３には、誰が、何の作業を、開始した時刻或いは終了した時刻が、ログデータとして記録されている。図２に示すようにシミュレーション実行ログ記憶装置１３は、シミュレーション時刻、作業員コード、作業工程名称、ログコード、ロケーション、時刻等が記録されている。
【００３１】
費目マスタ記憶装置１５は、少なくともコスト分析に必要な費目及び単価が記憶された記憶装置である。図３に示すように費目マスタ記憶装置１５は、費目コード、費目名称、分類、活動作用因名、単位、単価等が記録されている。ここで、分類とは、コスト費目の最も上位の分類単位で、活動基準原価計算手法の「資源」或いは「活動」に相当する。活動作用因名とは、コストの発生要因となるものである。作業員のコスト発生要因が直接的な作業による場合は「直接稼働時間」、間接的な作業による場合は「間接稼働時間」、月額固定の発生コストの場合は「支払い実績金額」等の値が入力される。「支払い実績金額」とは具体的に、自社トラック等の車両費、維持費、外部輸送委託したときの運賃、事務所賃借料、租税公課等が含まれる。単位は、費目のコストの計算となる時間単位で、単価は、その時間単位あたりの単価である。
【００３２】
対応項目記憶装置１４は、シミュレーションを実行したログの項目と、費目マスタ記憶装置１５の費目とを対応づけた記憶装置である。
【００３３】
コスト分析情報記憶装置１６は、コストを分析した結果が記録された記憶装置である。
【００３４】
シミュレーション実行手段２１は、シミュレーション設定情報記憶装置１１と、シミュレーション指示情報記憶装置１２に記憶された情報をシミュレーション端末３に送信する。シミュレーション端末３にシミュレーションを行わせ、シミュレーションの結果をシミュレーション実行ログ記憶装置１３に記憶する手段である。
【００３５】
シミュレーション実行手段２１は、図４に示すような画面を提示し、ユーザに、シミュレーションパターンと、シミュレーション対象となる倉庫とを選択させる。更に、当該シミュレーションの識別子として、シミュレーションコードとシミュレーション名を入力させる。シミュレーションパターンでは、「現状分析」か、現状分析した後にパラメータを変更した「現場改善」から選択させる。又、所定の方法に基づいて自動的にパラメータを変更させる選択肢があっても構わない。
【００３６】
コスト算出手段２２は、シミュレーションを実行したログの項目と、費目マスタ記憶装置１５の費目とを対応づけて、ログの項目を費目に変換し、費目マスタ記憶装置１５を参照して、変換された費目のデータに基づいて、コストを算出する手段である。
【００３７】
ここでは、まず、図５に示すような画面を参照して、シミュレーション実行ログ記憶装置１３と対応費目記憶装置１４を参照して、ログの関連づけを行い、動作がどの費目に関連するかを定義する。例えば、作業工程が「入荷作業」のログは「積み付け」で、それに相当する費目は「入荷仕分」である。又、作業工程が「入庫作業」のログは「パレットから棚へ搬送」で、それに相当する費目は「格納」である。又、作業工程が「出庫作業」のログは「カートピッキング」で、それに相当する費目は「ピッキング」である。図５では、手動で関連づけを行っているが、対応費目記憶装置１４を参照して、自動で行っても構わない。
【００３８】
又、図５において、「商品分類」とは、分析時のドリルダウン（細分）項目の一つで、商品分類別にコストを捉えたい場合のキーとなる項目である。
【００３９】
パラメータ変更手段２４は、コスト算出手段２２で算出されたコストを参照して、シミュレーション設定情報記憶装置１１のパラメータを変更し、再びシミュレーション実行手段２１によって、シミュレーション端末３にシミュレーションを行わせ、コスト算出手段２２によって、パラメータ変更後のコストを算出させる手段である。
【００４０】
結果提示手段２３は、コスト算出手段において算出されたコストを、費目毎に提示する手段である。結果提示手段２３においては、パラメータ変更前の現状のコストと、パラメータ変更後のコストとを、費目毎に提示する。
【００４１】
結果提示手段２３は、図６に示すような物流コスト比較分析表を提示する。物流コスト比較分析表は、現状分析時のデータである現状分析結果部４１と、パラメータを変更し、現場改善時のデータである現場改善結果部４２と、現状分析結果部４１と現場改善結果部４２を比較して、改善率と改善額を示した比較部４３を備えている。現状分析結果部４１と現場改善結果部４２はそれぞれ、費目コード、名称、原価金額、作業作用因名、数量、単位、単価、構成比の項目を備えている。ここで、原価金額とは、数量×単価で算出される。
【００４２】
更に、結果提示手段２３は、図７に示すような作業シミュレーション分析グラフを提示する。作業シミュレーション分析グラフでは、作業種別毎に、斜線が施された棒グラフで示した作業の開始時刻から終了時刻、及び、黒の棒グラフで示したその作業のコスト率が提示されている。又、それぞれの作業種別毎に、改善前と改善後の比較として、作業員人数、処理件数なども提示されている。
【００４３】
図１に示したシミュレーション端末３について説明する。
【００４４】
本発明の最良の実施の形態に係るシミュレーション端末３は、シミュレーション設定情報記憶装置３１、シミュレーション指示情報記憶装置３２、シミュレーション実行ログ記憶装置３３、シミュレーション条件取得手段３４、シミュレーション手段３５を備えている。
【００４５】
シミュレーション設定情報記憶装置３１、シミュレーション指示情報記憶装置３２、シミュレーション実行ログ記憶装置３３は、物流コスト解析サーバ１のシミュレーション設定情報記憶装置１１、シミュレーション指示情報記憶装置１２、シミュレーション実行ログ記憶装置１３と同一である。
【００４６】
シミュレーション条件取得手段３４は、物流コスト解析サーバ１から、シミュレーション設定情報とシミュレーション指示情報を受信し、それぞれ、シミュレーション設定情報記憶装置３１とシミュレーション指示情報記憶装置３２に登録する手段である。シミュレーション条件取得手段３４は、ＦＴＰなどのファイル転送プロトコル等で送信されたデータを取得する。
【００４７】
シミュレーション手段３５は、シミュレーション設定情報記憶装置３１とシミュレーション指示情報記憶装置３２を参照して、シミュレーションを実行し、その結果をシミュレーション実行ログ記憶装置３３に記録する手段である。
【００４８】
図８を参照して、本発明の最良の実施の形態に係る物流コスト解析方法について説明する。
【００４９】
まず、ステップＳ１０１において、シミュレーション実行手段２１によって現状分析のためのシミュレーション設定情報をシミュレーション設定情報記憶装置１１に登録し、ステップＳ１０２において、シミュレーション指示情報をシミュレーション指示情報記憶装置１２に登録し、シミュレーション端末３にシミュレーションを行わせる。このシミュレーションの結果をステップＳ１０３において取得し、シミュレーション実行ログ記憶装置１３に登録する。
【００５０】
一方、ステップＳ１０４において、パラメータ変更手段２４によって現状分析時のパラメータを変更する。更に、ステップＳ１０１乃至ステップＳ１０３同様に、ステップＳ１０５乃至ステップＳ１０７において、シミュレーション端末３にシミュレーションを行わせ、その結果をシミュレーション実行ログ記憶装置１３に登録する。
【００５１】
ステップＳ１０８において更にパラメータを変更する場合、ステップＳ１０４乃至ステップＳ１０７の処理を繰り返す。一方、ステップＳ１０８においてこれ以上パラメータを変更しない場合、ステップＳ１０９において、コスト算出手段２２により、対応費目記憶装置１４と費目マスタ記憶装置１５と、シミュレーション実行ログ記憶装置１３とを参照して、ログと費目の関連づけを行う。ステップＳ１０９においてログと費目の関連づけが行われると、ステップＳ１１０においてコストの算出を行い、コスト分析情報記憶装置１６に出力する。
【００５２】
最後に、ステップＳ１１１において、結果提示手段２３により結果を提示する。
【００５３】
本発明の最良の実施の形態によれば、コンピュータ上のバーチャル物流センターを稼働させ、作業員の作業、物流搬送機器の動作を記録解析することにより、バーチャル物流センターにおける物流コストを把握することができる。又、その結果に対し、作業員の増減、配置転換、物流搬送機器の採用・廃止、在庫ロケーションの変更等、現実には容易に行うことのできない変更を施すことにより、物流コストの低減を実現する改善策を見出すことができる。
【００５４】
又、従来現場において行う必要のあった作業員個々の作業時間測定をコンピュータ上のバーチャル物流センターにおいて実施・測定することによって、物流コスト分析を行うための基礎データを簡易に導き出し、従来の財務会計レベルではなく、「活動」に基づいた現実を反映した物流コストの把握を行うことができ、バーチャル物流センターにおける主種の改善施策を施すことによって物流センターのコスト削減に寄与する効果が奏される。
【００５５】
（その他の実施の形態）
上記のように、本発明の最良の実施の形態によって記載したが、この開示の一部をなす論述及び図面はこの発明を限定するものであると理解すべきではない。この開示から当業者には様々な代替実施の形態、実施例及び運用技術が明らかとなろう。
【００５６】
本発明の最良の実施の形態においては、バーチャル物流センターにおいて稼働する作業員、物流搬送機器の直接動作だけでなく、光熱費、減価償却、租税公課等を費目マスタ記憶装置に登録することにより、これらの間接費用も把握するコストの中に含めることができ、コスト改善対象項目として分析が可能となる。
【００５７】
又、本発明の最良の実施の形態においては、物流センター内でのコストの削減について記載したが、商品の仕入れから配送までの物流に係る全ての工程について、コスト改善対象項目として分析を行っても良い。
【００５８】
この様な、本発明はここでは記載していない様々な実施の形態等を含むことは勿論である。従って、本発明の技術的範囲は上記の説明から妥当な特許請求の範囲に係る発明特定事項によってのみ定められるものである。
【００５９】
【発明の効果】
本発明によれば、物流センターに関わる物流コストを把握するため、バーチャル物流センターを構築するシミュレーターと組み合わせ、現実には行えない現場改善を施すことによって、現状の物流コストの把握及びコスト面から見た改善策の検証を実現することのできる物流コスト解析サーバ、物流コスト解析方法及び物流コスト解析プログラムを提供することができる。
【図面の簡単な説明】
【図１】本発明の最良の実施の形態に係る物流コスト解析システムのシステム構成図である。
【図２】本発明の最良の実施の形態に係るシミュレーション実行ログ記憶装置のデータ構造とデータの一例を示した図である。
【図３】本発明の最良の実施の形態に係る費目マスタ記憶装置のデータ構造とデータの一例を示した図である。
【図４】本発明の最良の実施の形態に係るシミュレーション実行手段のシミュレーション設定時に提示する画面の一例である。
【図５】本発明の最良の実施の形態に係るコスト算出手段において、シミュレーション実行ログと作業工程の関連づけ時に提示する画面の一例である。
【図６】本発明の最良の実施の形態に係る結果提示手段によって提示される物流コスト比較分析表の一例である。
【図７】本発明の最良の実施の形態に係る結果提示手段によって提示される作業シミュレーション分析グラフの一例である。
【図８】本発明の最良の実施の形態に係る物流コスト解析方法の処理を示したフローチャートである。
【符号の説明】
１…物流コスト解析サーバ
３…シミュレーション端末
５…操作端末
６…物流コスト解析システム
１１、３１…シミュレーション設定情報記憶装置
１２、３２…シミュレーション指示情報記憶装置
１３、３３…シミュレーション実行ログ記憶装置
１４…対応費目記憶装置
１５…費目マスタ記憶装置
１６…コスト分析情報記憶装置
２１…シミュレーション実行手段
２２…コスト算出手段
２３…結果提示手段
２４…パラメータ変更手段
３４…シミュレーション条件取得手段
３５…シミュレーション手段
４１…現状分析結果部
４２…現場改善結果部
４３…比較部
【図１】
2004118321.tif 000003
【図２】
2004118321.tif 000004
【図３】
2004118321.tif 000005
【図４】
2004118321.tif 000006
【図５】
2004118321.tif 000007
【図６】
2004118321.tif 000008
【図７】
2004118321.tif 000009
【図８】
2004118321.tif 000010